(57)【要約】【課題】印鑑を捺印する際、邪魔にならず印影を容易に真っ直ぐに押すことができるガイド機能を有し、かつアクセサリや、小物入れ、及び交換可能な捺印部部材を有する等の、機能が豊富で多目的に使用できる印鑑を提供する。【解決手段】  印鑑上面に掛止部を備え、前記掛止部に吊り下げ具が装着されてアクセサリーとすることができ、かつ前記印鑑の上面に十文字状の上面パターンが形設され、同パターン端から同印鑑の側面に沿って下方に側面パターンが延設されてなる印鑑。【選択図】  図４
2006027148.tif 000002
【特許請求の範囲】
【請求項１】
印鑑上面に掛止部を設け、前記掛止部に吊り下げ具を装着させ、アクセサリーとすることができることを特徴とする印鑑。
【請求項２】
前記印鑑が、印影が真っ直ぐに捺印できる印鑑であって、
前記印鑑の上面に形設された十文字状の上面パターンを有してなることを特徴とする請求項１に記載の印鑑。
【請求項３】
前記印鑑が、印影が真っ直ぐに捺印できる印鑑であって、
前記印鑑の上面に形設された十文字状の上面パターン及び、同パターン端から同印鑑の側面に沿って下方に延設された側面パターンを有してなることを特徴とする請求項１に記載の印鑑。
【請求項４】
前記十文字状の上面パターン及び／又は前記上面パターン端から同印鑑の側面に沿って下方に延設された側面パターンが、外部からの光を反射して光輝を発する部材を有してなるものであることを特徴とする請求項１〜３のいずれか１項に記載の印鑑。
【請求項５】
前記外部からの光を反射して光輝を発する部材が、単色又は複数色の天然宝石又は人工宝石であることを特徴とする請求項４に記載の印鑑。
【請求項６】
前記外部からの光を反射して光輝を発する部材が、反射板であることを特徴とする請求項４に記載の印鑑。
【請求項７】
前記外部からの光を反射して光輝を発する部材が、印鑑の上面に刻設された十文字状の上面パターン及び／又は同パターン端から同印鑑の側面に沿って下方に延設して刻設された側面パターンに埋設されてなることを特徴とする請求項４〜６のいずれか１項に記載の印鑑。
【請求項８】
前記十文字状の上面パターン及び／又は同パターン端から同印鑑の側面に沿って下方に延設されてなる側面パターンが、
上面の十文字状の中心から４方向に単色又は各方向にそれぞれ異なった色に色分けされた色彩を備えてなることを特徴とする請求項１〜７のいずれか１項に記載の印鑑。
【請求項９】
前記印鑑が、同印鑑を構成する印材の柱体の内部に空洞部を備えてなり、前記空洞部内に小物類を収納することができることを特徴とする請求項１〜８のいずれか１項に記載の印鑑。
【請求項１０】
前記印鑑が、同印鑑を構成する印材の柱体に対し、捺印部部材が着脱自在に装着されてなることを特徴とする請求項１〜９のいずれか１項に記載の印鑑。
【請求項１１】
前記印鑑が、同印鑑を構成する印材の柱体に対し、複数個の捺印部部材が着脱自在に装着されてなり、随時交換できることを特徴とする請求項１〜１０のいずれか１項に記載の印鑑。
【発明の詳細な説明】
【技術分野】
【０００１】
本発明は、印鑑に係り、特に印鑑をアクセサリーとすることができ、かつ印影が真っ直ぐに捺印できる多機能を有する印鑑に関する。
【背景技術】
【０００２】
従来、印鑑は重要なものとして、自宅において人の目につきにくいところに大切に保管されている。
しかし、近年、家に保管すること自体の安全性が低くなり、常に携帯する人も少なくない。
一方、印鑑は、その印影を上下左右正確に真っ直ぐ捺印するのは容易ではなく、印影を真っ直ぐに捺印するには押印時に細心の注意を払う必要がある。
また、一般的には、印鑑は捺印を目的とするだけの単機能のものであり、その用途は捺印に限られている。
【０００３】
なお、最近では、印影を真っ直ぐに捺印するための印鑑として、物理的に開閉できる補助棒を印鑑本体に枢着したものや、捺印面に補助具を敷設するもの等が知られている。
【特許文献１】特開２０００ー２８９３１５号公報
【特許文献２】特開平９−１３６４７５号公報
【特許文献３】特開平８−２４４３２３号公報
【発明の開示】
【発明が解決しようとする課題】
【０００４】
上記特許文献１〜３にある印影を真っ直ぐに捺印するための印鑑においては、補助棒を有するものや、補助具を敷設するものであるが、補助棒を有するものは捺印の都度、補助棒を開閉しなければならず面倒であり、かつ棒状のものが印鑑本体の周囲に展開されるため捺印の際に邪魔になることが少なくなかった。
また、補助具を敷設するものは、補助具を印鑑とともに持ち歩いて捺印の度に捺印面に敷設する必要があり、かつ複数の印鑑用としてはそれぞれの印鑑の形状が異なるため抜き型に手が掛かかり、両者とも実用には難があった。
以上のことから、本発明においては、印鑑を捺印する際、邪魔にならず印影を容易に真っ直ぐに押すことができるガイド機能を有し、かつアクセサリや、小物入れ、及び交換可能な捺印部部材を有する等の、機能が豊富で多目的に使用できる印鑑を提供することを目的とする。
【課題を解決するための手段】
【０００５】
上記に鑑み本発明者は鋭意実験研究の結果、次の手段により上記課題を解決した。
（１）印鑑上面に掛止部を設け、前記掛止部に吊り下げ具を装着させ、アクセサリーとすることができることを特徴とする印鑑。
（２）前記印鑑が、印影が真っ直ぐに捺印できる印鑑であって、前記印鑑の上面に形設された十文字状の上面パターンを有してなることを特徴とする前記（１）に記載の印鑑。
（３）前記印鑑が、印影が真っ直ぐに捺印できる印鑑であって、前記印鑑の上面に形設された十文字状の上面パターン及び、同パターン端から同印鑑の側面に沿って下方に延設された側面パターンを有してなることを特徴とする前記（１）に記載の印鑑。
【０００６】
（４）前記十文字状の上面パターン及び／又は前記上面パターン端から同印鑑の側面に沿って下方に延設された側面パターンが、外部からの光を反射して光輝を発する部材を有してなるものであることを特徴とする前記（１）〜（３）のいずれか１項に記載の印鑑。
（５）前記外部からの光を反射して光輝を発する部材が、単色又は複数色の天然宝石又は人工宝石であることを特徴とする前記（４）に記載の印鑑。
（６）前記外部からの光を反射して光輝を発する部材が、反射板であることを特徴とする前記（４）に記載の印鑑。
【０００７】
（７）前記外部からの光を反射して光輝を発する部材が、印鑑の上面に刻設された十文字状の上面パターン及び／又は同パターン端から同印鑑の側面に沿って下方に延設して刻設された側面パターンに埋設されてなることを特徴とする前記（４）〜（６）のいずれか１項に記載の印鑑。
（８）前記十文字状の上面パターン及び／又は同パターン端から同印鑑の側面に沿って下方に延設されてなる側面パターンが、上面の十文字状の中心から４方向に単色又は各方向にそれぞれ異なった色に色分けされた色彩を備えてなることを特徴とする前記（１）〜（７）のいずれか１項に記載の印鑑。
【０００８】
（９）前記印鑑が、同印鑑を構成する印材の柱体の内部に空洞部を備えてなり、前記空洞部内に小物類を収納することができることを特徴とする前記（１）〜（８）のいずれか１項に記載の印鑑。
（１０）前記印鑑が、同印鑑を構成する印材の柱体に対し、捺印部部材が着脱自在に装着されてなることを特徴とする前記（１）〜（９）のいずれか１項に記載の印鑑。
（１１）前記印鑑が、同印鑑を構成する印材の柱体に対し、複数個の捺印部部材が着脱自在に装着されてなり、随時交換できることを特徴とする前記（１）〜（１０）のいずれか１項に記載の印鑑。
【発明の効果】
【０００９】
本発明により下記のような効果が期待できる。
本発明の印鑑はその上面に掛止部を設け、前記掛止部に吊り下げ具を装着させ、アクセサリとすることができるので、例えば、ペンダントやネックレスとして身につけることができ、また所持品等に取り付けたりすることができる。
さらに、本発明の印鑑は、印鑑の上面に形設された十文字状の上面パターン及び／又は上面パターン端から同印鑑の側面に沿って下方に延設された側面パターンを有して構成されるので、前記十文字状の上面パターンの縦のライン（縦の方向線）及びそれに直行する横のライン（横の方向線）と、捺印用紙等の捺印物の縦方向及び横方向とを合わせるだけで、捺印物に対し真っ直ぐに捺印することができる。
また、前記十文字状の上面パターン及び／又は前記上面パターン端から同印鑑の側面に沿って下方に延設された側面パターンが、外部からの光を反射して光輝を発する部材を有して構成されるので、印鑑の外観に優雅さと高級感を備えることができ、かつ、意匠性の高いペンダント等のアクセサリとなる。
【００１０】
そして、前記上面パターン及び／又は側面パターン端から同印鑑の側面に沿って下方に延設される側面パターンが、上面の十文字状の中心から４方向に単色又は各方向にそれぞれ異なった色に色分けされた色彩を備えて構成することができるので、例えば、周知の風水パワーを表す色彩として、赤、黄、青、緑等に色分けし、前記上面パターン及び／又は側面パターン毎に異なる色彩、あるいは４色を交互に配列することにより、印鑑をアクセサリとして装着している時、及び捺印の際、意識の高揚と安心感を得ることができる。
【００１１】
また、本発明の印鑑は、同印鑑を構成する印材の柱体の内部に空洞部を備えて構成することができ、前記空洞内に小物を収納することができるため、例えば、薬やメモなどを、空洞内に収納してアクセサリとして身に付けていることで、常に身近に置くことができ、紛失や置き忘れなどの恐れがない。
そして、本発明の印鑑は、同印鑑を構成する印材の柱体に対し、１又は複数の捺印部部材を脱着自在に装着することができるので、複数種類の印鑑を１個の印材で兼用することができ、随時捺印部を交換して使用することができる。
【発明を実施するための最良の形態】
【００１２】
本発明の印鑑は、印鑑上面に掛止部を設け、前記掛止部に吊り下げ具を装着させ、アクセサリとすることができるものである。
ここで、本発明における印鑑は、実印をはじめ、認印、銀行印等あらゆる印鑑に適用できるものであり、その大きさや使用目的、材質等に限定されるものではない。
また、印鑑の種類としては、例えば捺印時に朱肉やインクをつけるもの、インク自給式のもの等、あらゆる種類の印鑑に適用できるものである。
そして、本発明の印鑑における掛止部は、印鑑の上面あるいは、印鑑の上方に設けられるもので、ネックレス用のチェーンや、ストラップ用の紐などの吊り下げ具が掛止できる部分であり、環状の掛止部材や鉤型の掛止部材であり、あるいは、吊り下げ具を貫通して装着できる挿通孔などである。本発明の印鑑は、印鑑に吊り下げ具を装着してアクセサリにできるものであり、掛止部は、吊り下げ具が装着できるものであれば、前述の掛止部に限らず、形状や部材、装着方法も限定されるものではない。
【００１３】
本発明の印鑑は、印鑑上面に掛止部が設けられ、吊り下げ具が装着されてアクセサリとできるもので、かつ印影が真っ直ぐに捺印できる印鑑とすることができるものとすることができる。
すなわち、印鑑上面に掛止部を設け、かつ印鑑の上面に十文字状の上面パターンが形設されて構成されるものである。
あるいは、印鑑上面に掛止部を設け、かつ印鑑の上面に十文字状の上面パターンが形成され、同パターン端から同印鑑の側面に沿って下方に側面パターンが延設されて構成されるものである。
本発明の印鑑は、アクセサリとしての機能の他に、印影を真っ直ぐに捺印する機能を有するものである。
【００１４】
そして、本発明における印鑑の上面に形設される十文字状の上面パターンは、印鑑の上面の中心部に十文字の縦方向の線と横方向の線の交差する位置が配置され、印影の上下方向に縦方向の線が一致し、印影の左右方向に横方向の線が一致するように構成されるものである。
また、上面パターンの端から印鑑の側面に沿って下方に延設されて形設される側面パターンは、印影の上下方向及び左右方向に対し、垂直に形成される。
そして、前記十文字状の上面パターン及び側面パターンは、刻設、塗布、貼設あるいは描画などによって、形設することができるものであり、確認しやすく、長期の印鑑の使用に耐えうる程度のものであれば、その形設方法は問わないが、好ましくは強度、耐久性の点から刻設が挙げられる。
また、前記十文字状の上面パターン及び側面パターンの表現は、連続する直線、曲線、波線、模様、点などが挙げられるが、印鑑の上面に十文字状の上面パターン、印鑑の側面に沿って下方に延設された側面パターンを使用者が認識できるものであれば、その表現は限定されるものではない。
【００１５】
以下図面に基づいて、発明を実施するための最良の形態を説明する。
図１は本発明の印鑑の実施例を示す外観図、図２は掛止部の例を示す図、図３は本発明の印鑑の実施例Ａを示す外観図、図４は本発明の印鑑の使用方法を示す図、図５は本発明の印鑑の上面パターンの例を示す図、図６は本発明の印鑑の実施例Ｂを示す外観図、図７は本発明の印鑑の実施例Ｃを示す外観図、図８は本発明の印鑑の実施例Ｄを示す外観図、図９は本発明の印鑑の実施例Ｅを示す外観図、図１０は本発明の印鑑の実施例Ｆを示す外観図、図１１は本発明の印鑑の実施例Ｇを示す外観図、図１２は本発明の印鑑の実施例Ｈを示す外観図、図１３は宝石を半面露光するように配列した場合の側面パターンの一部を示す部分図、図１４は、宝石の小片と透明接着材を混合して形成した場合の側面パターンの一部を示す部分図である。
図中、１は印鑑、２は印材の柱体、３は印鑑上面、４は掛止部、５は吊り下げ具、６は上面パターン、６ａは上面パターンの縦方向ライン、６ｂは上面パターンの横方向ライン、６ａ’は上面パターンの縦の方向線、６ｂ’は上面パターンの横の方向線、６ｃは上面パターン端、７は側面パターン、８は捺印部部材、１１は色彩、１２は捺印文字、１５は捺印物、１５ａは捺印物の縦方向、１５ｂは捺印物の横方向、１５ａ’は捺印物の縦方向の線、１５ｂ’は捺印物の横方向の線、１７は宝石である。
【００１６】
本発明における印鑑は、図１に示すように、印鑑１の上面３に掛止部４が設けられ、前記掛止部４に吊り下げ具５が装着されて、アクセサリとすることができるものである。
掛止部４は、吊り下げ具５が装着できるものであり、例えば、図２の掛止部の例を示す図に示すように、環状の掛止部材４ａ、鉤型の掛止部材４ｂ、あるいは、印鑑上方に設けられた吊り下げ具５を挿通できる挿通孔４ｃなどが採用できるが、吊り下げ具５が装着できるものであればよく、その形状や部材、装着方法等は限定されない。
なお、吊り下げ具５としては、ネックレスのチェーンや、キーホルダー用の紐など、アクセサリとして適したものであればよい。
【００１７】
図３は、本発明の印鑑の実施例Ａを示す外観図である。
図３に示す本発明の印鑑１の実施例Ｂは、印鑑上面３に掛止部４が設けられ、前記掛止部４に取り下げ具５が装着された印鑑１で、かつ印鑑の上面３に十文字状の上面パターン６が形設されてなる印鑑１である。
【００１８】
本発明における印鑑１は、図３に示すように、印鑑の上面に掛止部４が設けられ、前記掛止部４に吊り下げ具５を装着させてアクセサリとすることができるもので、かつ、印鑑上面３に十文字状の上面パターン６を有して構成されるものであり、前記十文字状の上面パターン６は刻設、塗布又は貼設等の認識しやすい方法により形成される。
そして、前記十文字状の上面パターン６の縦方向ライン６ａ及びそれに直交する横方向ライン６ｂと、捺印用紙等の捺印物の縦方向及び横方向とを合わせておくことにより、その方向が捺印物に対し傾かないように修正確認後捺印することができるものであり、常に真っ直ぐに捺印することができる。
【００１９】
図４は、本発明の印鑑の使用方法を示す図である。
印鑑１の上面３には、十文字状の上面パターン６が形設されている。また、捺印する場所は、紙などの捺印物１５の所定個所（図では署名の最後）である。
本発明の印鑑１は、捺印する際には、印鑑上面３の上面パターン６の縦のライン６ａ、あるいは縦のライン６ａを基準とする縦の方向線６ａ’と、捺印物１６の縦方向１６ａ（例えば、紙の左右の端部）の線１６ａ’との間（矢印α）が平行になるように配置される。
そして、同様に、印鑑上面３の上面パターン６の横のライン６ｂ、あるいは横のライン６ｂを基準とする横の方向線６ｂ’と、捺印物１５の横方向１５ｂ（例えば、紙の上下の端部）の線１５ｂ’との間（矢印β）が平行になるように配置される。
その後、上面パターン６の縦のライン６ａと横のライン６ｂを目印として、捺印物１５の縦方向１５ａと横方向１５ｂを平行を保った後に、捺印個所に捺印する。
このように、印鑑１の上面３に形成された上面パターン６の縦のライン６ａと横のライン６ｂと、捺印物１５の縦方向１５ａと横方向１５ｂを合わせて捺印することにより、容易に印影を真っ直ぐに押すことができる。
【００２０】
本発明の印鑑１は、印鑑１の上面に上面パターン６を形設することにより、印影を真っ直ぐ押すことができるものであり、上面パターン６は、印鑑１及び捺印文字１２の上下左右が真っ直ぐであるかどうかを確認できるものである。
捺印物１５の種類によっては、上面パターン６が十文字状でなく、横一文字状、あるいは縦一文字状に形設することもできるが、縦だけ、あるいは横だけを確認するより、縦と横を確認した方が、正確に真っ直ぐに捺印することができるので、上面パターン６は、十文字状で形設されることが好ましい。
なお、上面パターン６は、印鑑の上下左右方向を正確に認識し、捺印物１５の縦方向１５ａと横方向１５ｂと合わせることができるものであればよく、その形状は、十字形状に限られるものではなく、例えば、図５の本発明の印鑑の上面パターンの例を示す図に示すように、印鑑１の上面３に形設される上面パターン６は、その十文字状を上面パターン６０ａ〜６０ｉに示すように、任意の点線、波線、直線、模様などで形設することができ、意匠性の高いものとすることもできる。
【００２１】
本発明の印鑑１は、前述したように印鑑１の上面に十文字状の上面パターン６を形設し、同パターン端６ｃから同印鑑１の側面に沿って下方に側面パターンを延設して構成することもできるものである。
図６〜図１２は、本発明の印鑑の実施例Ｂ〜Ｈを示す外観図である。
図６は本発明の印鑑の実施例Ｂであり、印鑑上面３に掛止部４が設けられ、前記掛止部４に吊り下げ具５が装着され、かつ上面３に形設された十文字状の上面パターン６及び、同パターン端６ｃから同印鑑１の側面に沿って下方に延設された側面パターン７を有する印鑑１の外観図で、（イ）は上面図、（ロ）は正面図、（ハ）は下面図である。
図６〜図１２に示す本発明の印鑑１は、上面３に設けられた掛止部４と、同掛止部４に吊り下げ具５を装着し、前記図３の十文字状の上面パターン６にさらに、同パターン端６ｃから同印鑑１の側面に沿って下方に延設された側面パターン７を有して構成されるものであり、前記上面パターン６及び側面パターン７は刻設、塗布又は貼設等により形設され、前記十文字状の上面パターン６の縦方向ライン６ａ及びそれに直交する横方向ライン６ｂ及び、同パターン端６ｃから同印鑑１の柱体１の側面に沿って下方に延設された側面パターン７に、捺印物１５（図４参照）の縦方向１５ａ及び横方向１５ｂとを合わせておくことにより、印鑑上面３の十文字状の上面パターン６及び、同パターン端６ｃから同印鑑１の側面に沿って下方に延設された側面パターン７を確認して、その方向が捺印物１５に対し傾かないように捺印することができるものである。
側面パターン７は、印鑑１の側面に形設されるので、側面パターン７と捺印部が近く、捺印物１５の縦方向１５ａと横方向１５ｂと合わせやすく、印鑑１の上下左右の確認が容易となる。
【００２２】
図７は、本発明の印鑑１の実施例Ｃで、本発明の印鑑１にかかる上面パターン６及び側面パターン７を波線で形成した本発明の印鑑の外観図である。
図において、印鑑１の上面３に掛止部４が設けられ、前記掛止部４に吊り下げ具５が装着され、かつ上面３に上面パターン６が形設され、さらに印鑑１の柱体２の側面に側面パターン７が形設され、前記上面パターン６と側面パターン７は波線で構成されている。
【００２３】
図８は、本発明の印鑑１の実施例Ｄであり、上面３に掛止部４と吊り下げ具５を備え、上面パターン６及び側面パターン７に宝石１７を配設した本発明の印鑑の実施例を示す図であり、図９は、本発明の印鑑１の実施例Ｅであり、上面３に掛止部４と吊り下げ具５を備え、上面パターン６及び側面パターン７に宝石の小片１８を配設した本発明の印鑑の実施例を示す図である。共に（イ）は上面図、（ロ）は正面図、（ハ）は下面図を示す。
図８、図９は、上面パターン６及び側面パターン７が外部からの光を反射して光輝を発する部材で構成される場合の一実施例であり、図８においては、前記部材が宝石１７で、図９においては前記部材が宝石の小片１８で構成され、該宝石１７は反面が露光されるように小間隔に埋設されて上面パターン６及び側面パターン７を形成し、宝石の小片１８は透明接着材と混合して印材の柱体２に埋設されて側面パターンを形成しているので、印鑑１は優雅で高級感を備えたものとなり、アクセサリとしての高い価値を備えるものとなる。
【００２４】
上記の実施例の他、本発明の印鑑１は、外部からの光を反射して光輝を発する部材として、宝石加工の際に生ずる小片や、屑宝石、又は人工宝石等の微粒の結晶などを採用することもでき、前記部材によって、上面パターン６及び側面パターン７を発光帯として容易にかつ安価に作製することができ、高級感を備えたアクセサリ機能を備えた印鑑とすることができる。
【００２５】
図１０は、本発明の印鑑１の実施例Ｆの外観図であり、外部からの光を反射して光輝を発する部材として宝石１７を採用し、上面パターン６及び側面パターン７を形成し、前記側面パターン７を印材の柱体２の途中まで形成し、同時に印材の柱体２に描画を施した印鑑１の実施例を示す図であり、（イ）は上面図、（ロ）は正面図、（ハ）は下面図を示す。
図において、１’は図柄入り印鑑、２１は図柄を示す。
本発明の印鑑１、１’における側面パターン７は、上面パターン端６ｃから同印鑑１の側面に沿って捺印部近傍まで形成することもでき、また、印鑑１の柱体２の途中まで延設して形成することもできる。
そして、印鑑１の柱体２に側面パターン７以外の図柄や模様を配設することにより、さらに高級感を備えることができる。
図１０においては、側面パターン７が、印材の柱体２の途中まで形成され、その下方部分には、図柄２１が配設されている。図においては図柄２１は象徴的図柄、例えば、昇運を表すとされる登り龍を事例としたが、描かれる図柄や模様は、自由に選択できるものである。
【００２６】
本発明の印鑑１においては、外部からの光を反射して光輝を発する部材としては、前述の単色又は複数色の天然宝石や人工宝石、単色又は複数色の天然宝石又は人工宝石の小片、あるいは、単色又は複数色の透明な合成樹脂で、かつその表面が光りを反射する如く加工されてなるもの、又は反射板などを採用することができる。
上記部材は、印鑑１の上面３に刻設された十文字状の上面パターン６及び／又は同パターン端６ｃから同印鑑の側面に沿って下方に延設して刻設された側面パターン７に埋設して構成すると、捺印の妨げとならず、剥離等もなく、使いやすい印鑑１とすることができる。
なお、印鑑１の上面パターン６及び／又は同パターン端６ｃから同印鑑１の側面に沿って下方に延設される側面パターン７を、前記のような外部からの光を反射して光輝を発する部材で構成することにより、個性的でかつ高級感を備えた印鑑１とすることができ、アクセサリとして豪華さと優雅さを備えることができ、さらには、印影をまっすぐに押すことができる印鑑１となる。
【００２７】
また、前記図１〜図１０に示した実施例において、十文字状の上面パターン６及び／又は側面に沿って下方に延設された側面パターン７に、色彩１１を備えることができる。例えば、上面パターン６の十文字状の中心を基準として４方向に単色又は各方向にそれぞれ異なった色に色分けされた色彩を備えることもできる。
４方向にそれぞれ異なった色に色分けする例としては、周知の風水パワーを表す色彩として、赤、黄、青、緑を採用し、上面パターン６の十文字状の中心から４方向にそれぞれ異なった色を配色することもできる。風水パワーを表す色彩で構成することにより、印鑑１をアクセサリとして身につけた時、又は所持している時、そして、捺印の際、意識の高揚と安心感を得ることができる。もちろん、単色で構成しても、２色（例えば捺印部に対し上下方向と左右方向で色分けする等）で配色してもよく、所持者の好みに合わせて、前記色彩１１を選択することが好ましい。
なお、前述の外部からの光を反射して光輝を発する部材に関しても、その部材自体の色を利用して同様に、４方向に単色又は各方向にそれぞれ異なった色に色分けされた色彩１１を備えることもできる。例えば、天然宝石の場合、ルビー、ダイヤ、エメラルド、サファイアを採用することもできる。
【００２８】
本発明の印鑑１は、同印鑑１を構成する印材の柱体２に対し、捺印部部材が着脱自在となるように装着して構成することもできるものである。また、複数の捺印部部材を脱着自在に装着し、随時交換できるように構成することもできる。
図１１、図１２は、本発明の印鑑におけるその他の実施例としての実施例Ｇと実施例Ｈの説明用断面図であり、図１１においては、印鑑１の柱体２の下部には、着脱自在の捺印部部材８、８’が装着されている。
捺印部部材８と捺印部部材８’の捺印文字１２、１２’を異なるものとすれば、１つの印鑑１を所持するだけで、複数の捺印文字１２、１２’を使用場所によって容易に使い分けることができ、かつ、前記印鑑１の上面３には上面パターン６及び／又は側面には側面パターン７が形設されているので、常に容易に印影を真っ直ぐ押すことができる。
着脱構造においては、脱着可能であれば、その構造は限定されないが、例えば、捺印部部材８の上方にオスねじを刻設し、印材の柱体２の下部に前記オスねじに螺合するメスねじを刻設して構成したり（図示せず）、その他、捺印部部材８の上方に挿入部を凸設し、また、印材の柱体２の下部に前記挿入部に嵌合する嵌合部を凹設して形成することもできる。複数の捺印部部材８を着脱自在にし、随時交換できるようにするために、それぞれの捺印部材８、８’が互いに凹部と凸部を備え着脱可能の形状とすることで、容易に捺印部部材８、８’が着脱自在の印鑑１となる。
図１２においては、捺印部部材８は、上方に挿入部が凸設され、また、印材の柱体２の下部には、捺印部部材８が嵌合する嵌合孔が凹設され、嵌合部１４を形成している。前記の嵌合孔の凹部は、後述の小物２３等を収納できる空洞部１３を形成しており、捺印部部材８の凸設された挿入部が、前記空洞部１３の蓋を兼用している。
また、前記嵌合部１４の嵌合孔の側面には着脱バネ２２等を設けることにより、容易にかつ確実に捺印部部材８を着脱することができる構造となっている。
【００２９】
また、印面は、捺印文字１２の他、版画、数字、記号等でもよく、その組合せとすることもできる。
本発明の印鑑１は、同印鑑を構成する印材の柱体２の内部に空洞部を備えることもでき、前記空洞部内に小物類を収納することもできる構成となっている。
図１１及び図１２には、印材の柱体の内部に空洞部１３が備えられ、お守りやメモなどの小物２３を収納できる構造となっている。小物２３としては、常の所持したいものや、身近に置いておきたいもの、例えば、おみくじや、香料等でもよい。出し入れするには捺印部部材８（８’）を着脱して行う。
【００３０】
本発明における印鑑１は、前述したように、同印鑑１の上面に形設される十文字状の上面パターン６及び／又は前記上面パターン端６ｃから、同印鑑１の側面に沿って下方に延設された側面パターン７が、外部からの光を反射して光輝を発する部材を有して構成することができる。
図１３〜図１４は、上面パターン６及び／又は側面パターン７を前記部材で構成する場合の実施例の説明図である。
図１３は、宝石１７を半面露光するように配設した場合の側面パターン７の一部を示す部分図であり、（イ）は正面図、（ロ）は側面断面図を示す。
図に示す宝石１７は、単色又は複数色の天然宝石又は人工宝石であり、該宝石１７を半面が露光されるように、印材の柱体２の側面パターン７に小間隔に透明接着材１６で固着されている。
【００３１】
図１４は、宝石の小片１８と透明接着材１６を混合して形設した場合の側面パターン７の一部を示す部分図であり、（イ）は正面図、（ロ）は側面断面図を示す。
図において、１８は宝石の小片を示す。
図に示す反射して光輝を発する部材は、単色又は複数色の天然宝石又は人工宝石の小片１８であり、透明接着剤１６と混合して、あらかじめ印材の柱体２に形成された側面パターン７の溝部に前記宝石の小片１８と透明接着剤１６を混合したものを埋設して連続光輝帯１０を形成している。
上記のような反射して光輝を発する部材によって、上面パターン６及び側面パターン７を形成することにより、ペンダント等のアクセサリとして身につけた際に、高級感を備えたものとして、そして、印鑑１として使用する場合には、印影を真っ直ぐ押せる印鑑１としての機能を発揮する。
【図面の簡単な説明】
【００３２】
【図１】本発明の印鑑の実施例を示す外観図
【図２】掛止部の例を示す図
【図３】本発明の印鑑の実施例Ａを示す外観図
【図４】本発明の印鑑の使用方法を示す図
【図５】本発明の印鑑の上面パターンの例を示す図
【図６】本発明の印鑑の実施例Ｂを示す外観図
【図７】本発明の印鑑の実施例Ｃを示す外観図
【図８】本発明の印鑑の実施例Ｄを示す外観図
【図９】本発明の印鑑の実施例Ｅを示す外観図
【図１０】本発明の印鑑の実施例Ｆを示す外観図
【図１１】本発明の印鑑の実施例Ｇを示す外観図
【図１２】本発明の印鑑の実施例Ｈを示す外観図
【図１３】宝石を半面露光するように配列した場合の側面パターンの一部を示す部分図
【図１４】宝石の小片と透明接着材を混合して形成した場合の側面パターンの一部を示す部分図
【符号の説明】
【００３３】
１：印鑑
１’：図柄入り印鑑
２：印材の柱体
３：印鑑上面
４：掛止部
５：吊り下げ具
６：上面パターン
６ａ：上面パターンの縦方向ライン
６ｂ：上面パターンの横方向ライン
６ｃ：上面パターン端
６ａ’：上面パターンの縦の方向線
６ｂ’：上面パターンの横の方向線
７：側面パターン
８、８’：捺印部部材
１０：連続光輝帯
１１：色彩
１２：捺印文字
１２’：他の捺印文字
１３：空洞部
１４：嵌合部
１５：捺印物
１５ａ：捺印物の縦方向
１５ｂ：捺印物の横方向
１５ａ’：捺印物の縦方向の線
１５ｂ’：捺印物の横方向の線
１６：透明接着材
１７：宝石
１８：宝石の小片
２１：図柄
２２：着脱バネ
２３：小物
６０ａ〜６０ｉ：上面パターン
【図１】
2006027148.tif 000003
【図２】
2006027148.tif 000004
【図３】
2006027148.tif 000005
【図４】
2006027148.tif 000006
【図５】
2006027148.tif 000007
【図６】
2006027148.tif 000008
【図７】
2006027148.tif 000009
【図８】
2006027148.tif 000010
【図９】
2006027148.tif 000011
【図１０】
2006027148.tif 000012
【図１１】
2006027148.tif 000013
【図１２】
2006027148.tif 000014
【図１３】
2006027148.tif 000015
【図１４】
2006027148.tif 000016